(57)【要約】      （修正有）【課題】駆動ユニットにテークアップ付絞りプーリと緩め絞りプ−リとを支持し、プーリ着脱時に必要とする力を軽減でき、プーリ軸の着脱操作が容易なベルトコンベヤを提供する。【解決手段】このコンベヤ１は、コンベヤフレーム２の中間駆動ユニット５の側板７にキャッチクリップ２３を固着して緩め絞りプーリ１２の軸端を掛け止める。中間駆動ユニット５の一方の側板７に、テークアップ付き絞りプーリ支持用の長孔３０と緩め絞りプーリ支持用のＺ字形切欠き３１とを設けると共に、他方の側板には、緩め絞りプーリ軸支持用のＺ字形切欠き３１とテークアップ付き絞りプーリの他方の軸端を支持するＣ字形切欠きとを設けている。緩め絞りプーリの支点位置を移動することによってベルトゆるめ状態から張る状態へ、またその逆に切り替えることができるので、プーリ着脱時に必要とする力を軽減でき、ベルト外し時にプーリ軸の着脱操作が容易となる。【選択図】図１
2005212918.tif 000002
【特許請求の範囲】
【請求項１】
コンベヤフレームの長手方向ほぼ中間に、駆動プーリ、テークアップ付き絞りプーリ及び緩め絞りプーリからなる駆動ユニットを取付けたベルトコンベヤにおいて、前記駆動ユニットの左右側板にキャッチクリップを固着して緩め絞りプーリの軸端に掛け止めたことを特徴とするベルトコンベヤ。
【請求項２】
前記中間駆動ユニットの一方の側板に、テークアップ付き絞りプーリ軸支持用の長孔と、緩め絞りプーリ軸支持用のＺ字形切欠きとを設けると共に、他方の側板には、緩め絞りプーリ軸支持用のＺ字形切欠きと、前記テークアップ付き絞りプーリの他方の軸端を支持するＣ字形切欠きとを設けている請求項１に記載のベルトコンベヤ。
【請求項３】
前記Ｚ字形切欠きは、前記両側板縁に開口部を形成させた上辺路と、行止り形の下辺路と、上下辺の端で段差を与えてベルト外し時に緩め絞りプーリ軸の飛び出しを防止する屈曲部とで形成され、
前記Ｃ字形切欠きは、先端を閉鎖した上辺路と、上辺路の後端から下向きに連ねた垂直路と、垂直路の下端から側板の端縁に向かって延びる下辺路と、下辺路の開口部とを有し、かつ該開口部の下縁にはベルト外し時にテークアップ付き絞りプーリ軸の急激な飛び出しを防止するための突起が形成され、上縁にはプーリ軸の取外し時を容易にする傾斜辺が形成されている請求項２に記載のベルトコンベヤ。
【発明の詳細な説明】
【技術分野】
【０００１】
本発明は、コンベヤの絞りプーリを工具なしで取付け、取外してベルト着脱を容易にしたベルトコンベヤに関する。
【背景技術】
【０００２】
コンベヤの主要部である駆動ユニットの取付けは、通常ボルトナットを用いているので組立が複雑であり、特に、駆動ユニットの側板又は保持板にガイド溝を形成してテンション調節プーリ軸を挿通したうえガイド溝端にビスを設けたものでは、ベルト洗浄時には、テンション調節プーリのビスを緩めて、調節プーリを取り外してからベルトを外す必要があった（例えば特許文献１参照）。また、駆動ユニットの側板の下部に、一方をヒンジで支持し、他方をネジ止めして駆動ユニットの下方に向け開閉自在とした保持体を取付け、この保持体の内部にスプリングを介して駆動ローラに向け付勢された押圧ローラ軸を支持し、ベルト外し時には保持体のネジを緩めて下方に大きく開かせてからベルトを外すようにしたものも知られているが、実際にベルトを取り外すにはこの駆動ユニット以外の箇所でテークアップ装置を緩める必要がありベルト装着時にはテークアップを再度設定するため、洗浄の前後に多大な手間と時間を要していた（例えば特許文献２参照）。この改善策として、ベルトコンベヤの構成部品の主要部である駆動ユニットを、キャッチクリップ（パッチン錠）を用いてフレームに取付け、洗浄時にはキャッチクリップの係合を解除して駆動ユニット全体を取外すものが提案されている（例えば特許文献３参照）。
【０００３】
【特許文献１】実開平３−５３９１６号公報（第６頁7〜２０行、第１図、第２図）。
【特許文献２】特開２０００−２１１７２３号公報（第４頁右欄１２〜２４行、第５頁左欄３〜９行、図３、図４）。
【特許文献３】特開２００１−８０７１７号公報（第５頁右欄２２〜３６行、第６頁左欄２５〜３５行、図１、図９〜１０）。
【発明の開示】
【発明が解決しようとする課題】
【０００４】
従来食品・医薬品の加工、搬送に多く使用されているベルトコンベヤは、本体ごと高圧洗浄ができるほか、ベルトの洗浄を確実にするため、フレームからベルト外しが容易にできる構造となっているが、コンベヤフレームの隅にたまったゴミや搬送物のカス等を取り除くには、コンベヤの各部分をスパナ、ドライバ等の工具を用いてボルトなどを外し分解しなければならなかった。通常工具を用いて分解清掃をすると、工具の置き忘れ、ボルトやナットの締め忘れに止まらず、ボルト、ナット、ワッシャ等補助部分の紛失や補助部品の搬送物（製品）への混入等が発生してコンベヤの不具合の原因となっていた。
また、エンドレスベルトを中間駆動部の絞りプーリ等で張力を働かせるようにしたベルトコンベヤにおいて、緩め絞りプーリの一端をロッドエンドベアリングやボールジョイントで支持してプーリを水平面内に所定角度旋回可能とし、他端はキャッチクリップで係止したものも提案されているが、ベルト着脱時にプーリを着脱したいときに、ロッドエンドベアリング等で支持した支点側プーリ軸の着脱が不便であり、ベルト張力がキャッチクリップで係止した緩め絞り側プーリにすべて働くため、着脱（旋回時）に張力に勝る力が必要であった。
【０００５】
本発明は、ボルト、ナットを使用せずに、駆動ユニットの側板に設けた切欠き（長穴、窓孔、落とし込み等を含む）に絞りプーリ軸と緩め絞りプーリ軸をそれぞれ差込み設け、切欠きから突出する緩め絞りプーリ軸端を側板に固着したキャッチクリップ（パッチン錠）で係止することにより、絞りプーリと緩め絞りプーリの着脱操作を容易としたベルトコンベヤを提供することを目的とするものである。
【課題を解決するための手段】
【０００６】
上記目的を達成するため、本発明の請求項１にかかる発明は、コンベヤフレームの長手方向ほぼ中間に、駆動プーリ、テークアップ付き絞りプーリ及び緩め絞りプーリからなる駆動ユニットを取付けたベルトコンベヤにおいて、前記駆動ユニットの左右側板にキャッチクリップを固着して緩め絞りプーリの軸端に掛け止めたことを特徴とするベルトコンベヤである。
請求項２は、前記中間駆動ユニットの一方の側板に、テークアップ付き絞りプーリ軸支持用の長孔と、緩め絞りプーリ軸支持用のＺ字形切欠きとを設けると共に、他方の側板には、緩め絞りプーリ軸支持用のＺ字形切欠きと、前記テークアップ付き絞りプーリの他方の軸端を支持するＣ字形切欠きとを設けていることを特徴とする。
請求項３は、前記Ｚ字形切欠きは、前記両側板縁に開口部を形成させた上辺路と、行止り形の下辺路と、上下辺の端で段差を与えてベルト外し時に緩め絞りプーリ軸の飛び出しを防止する屈曲部とで形成され、前記Ｃ字形切欠きは、先端を閉鎖した上辺路と、上辺路の後端から下向きに連ねた垂直路と、垂直路の下端から側板の端縁に向かって延びる下辺路と、下辺路の開口部とを有し、かつ該開口部の下縁にはベルト外し時にテークアップ付きプーリ軸の急激な飛び出しを防止するための突起が形成され、上縁にはプーリ軸の取外し時を容易にする傾斜辺が形成されていることを特徴とするものである。
【発明の効果】
【０００７】
本発明によれば、ベルトコンベヤの中間駆動部に絞りプーリを取付ける際に、テークアップ付きの絞りプーリと対向する緩め絞りプーリを駆動ユニットの側板に設けた長孔と切り欠きに差込み、切欠きから突出する緩め絞りプーリ軸端を側板に固着したキャッチクリップ（パッチン錠）で掛け止めたので、プーリの取付け並びにベルト脱着が容易にできるばかりか、プーリ軸端の支点位置を梃子の作用で移動（ベルトをゆるい状態から張る状態へ、またその逆に）することによって、プーリ着脱時の力を軽減できる。また、ベルトコンベヤの中間駆動部ユニットにおける絞りプーリを、ボルトなしでキャッチクリップにより取付けることで組立分解が容易になる。
【発明を実施するための最良の形態】
【０００８】
図１は本発明ベルトコンベヤの正面図、図２は駆動ユニットの拡大正面図である。
図示のように、このベルトコンベヤ１は、頭部プーリ３、尾部プーリ４及び中間駆動ユニット５の駆動プーリ１０との間にエンドレスベルト６を掛け渡し、コンベヤフレーム２の長手方向中間に、駆動プーリ１０とテークアップ付き絞りプーリ１１及び緩め絞りプーリ１２とを備えた駆動ユニット５を取付けたもので、駆動ユニット５の取付け位置におけるフレーム２の内側にはツナギ材１３（図３、５）を固着して補強し、フレーム２の外側には側板７、８を対向して配置し複数のボルト１３aでそれぞれ締付け一体化する。側板７、８には、後記するような特殊形状の切欠き（差込み用長穴、窓又は落とし込み）３０、３１、３４を設けて絞りプーリ１１、１２の軸を差込み、かつ、側板の前記切り欠きから突出する緩め絞りプーリ１２の軸端を側板に固着したキャッチクリップ（パッチン錠）２３で掛け止める。
【０００９】
図３は図２の背面図、図４は図２のＡ−Ａ線より矢印方向にみた平面図、図５は図２のＢ−Ｂ線より矢印方向にみた断面図である。
駆動ユニット５における一方の側板７は、正面から見て方形をなし、その中央下付近に防水ギヤードモータ１７を固着する。他方の側板８は、方形部分の下部両辺を切り落として台形部分を一体に形成させた変形６角形（図３）をなしている。両側板７、８間にはギヤードモータ１７の出力側に結合された駆動軸１０ａと、駆動部ツナギ材１４とを設けると共に、駆動部ツナギ材１４より上方で両側板７、８の同じ高さ位置に間隔を置いて複数の切欠き（差込み用長穴、窓又は落とし込み）を形成して前記絞りプーリ１１と、緩め絞りプーリ１２を支持する。また、向かい合わせた両側板７、８のフレーム２より下の端面及び底面を覆うカバー９を取外し自在に取付ける。すなわち、カバー９の底板における一方の縁に抜差蝶番２１を設けると共に、他方の縁の中央に折曲片９ａを形成させ、これに蝶ネジ２２を通して側板８に締め付けている。
なお、図中、符号６はエンドレスベルト、１０はドライブプーリ、１１ａ、１２ａはプーリ軸、１５はトルクアーム、１６はトルクアームのストリッパボルト、１８はテークブロック、１８ａはストッパボルト、１８ｂは雌ねじ、１９はモータ固定ワッシャ（図５）、２０はドライブプーリ軸支持用のピローブロック（図５）である。  
【００１０】
次に、絞りプーリ１１、１２の軸を差込み支持する切欠き（差込み用長穴、窓又は落とし込み）の形状について説明する。
一方の側板７に、テークアップ付き絞りプーリ１１の軸支持用長孔３０と緩め絞りプーリ１２の軸支持用Ｚ字形切欠き３１とを設ける（図２）。他方の側板８には、緩め絞りプーリ軸支持用のＺ字形切欠き３１とテークアップ付き絞りプーリ軸支持用のＣ字形切欠き３４とを設ける（図３）。Ｚ字形切欠き３１は、Ｚ形切欠きの上辺開口部３３とＺ形切欠きの上下辺に段差を与える屈曲部３２を備えている。また、Ｃ字形切欠き３４は、の先端を閉鎖した上辺路３４ａと、上辺路３４ａの後端から下向きに連ねた垂直路３４ｂと、垂直路３４ｂの下端から側板の端縁に向かって延びる下辺路３４ｃと、下辺路３４ｃの開口部３７とからなり、開口部３７の下縁にはプーリ軸取外し時に同軸の急激な飛び出しを防止するための突起３５が形成され、上縁にはプーリ軸の取外し時を容易にする傾斜辺３６が形成されている。前記Ｚ字形切欠き３１とＣ字形切欠き３４は、軸端部分を差込むことのできる切り欠き、窓孔、落とし込みに代えてもよい。
【００１１】
側板７，８のほぼ中央には、コイルバネ内蔵の主体部２４の一方にキャッチ用ライナー２５と、他方にライナー２５作動用のレバー２６と、緩め絞りプーリ１２、１２の軸受部１２ａに取付けたフック２７とからなるキャッチクリップ（又はパッチン錠）２３を固着しており、側板７、８の切り欠き３１，３１に差し込んだ緩め絞りプーリ１２軸端に嵌着されたフック２７に、キャッチクリップ２３のキャッチ用ライナー２５を掛け、レバー２６の起伏によってライナー２５を弾力的に引いてレバー２６の支点を支点とし、レバー２６とライナー２５の接続ピン部を作用点、レバーの、つまりつまみ部を力点とした梃子の働きにより掛け止める。コイルバネ内蔵の主体部２４は、緩め絞りプーリ１２の軸端に嵌着させたフック２７に対しキャッチ用ライナー２５が係脱可能となる位置の側板７、８に固着される。
【００１２】
絞りプーリ軸１１ａ（図２）を側板７の長孔３０に差し込んだだけでは、ベルト外しのとき、ベルト張力によって絞りプーリ１１が外側に急に飛び出して危険であるが、上記のように、他方のプーリ軸１１ａを側板８のＣ字形切欠き３４（図３）に差し込んでおくことにより、絞りプーリ軸１１はＣ字形切欠き３４の突起３５に当たって飛び出すことがない。また、他方の緩め絞りプーリ側軸１２ａをＺ形切欠き３１に差込んでおく（図２，３）ことにより、プーリ軸１２ａがＺ形切欠き３１内を移動しても屈曲部３２に当たって急な飛び出しを防ぐことができる。
【００１３】
上記のように、テークアップ付き絞りプーリ軸端と、緩め絞りプーリ軸端を、側板の切り欠きに差し込んで支持させたのち、緩め絞りプーリ軸端をキャッチクリップ（パッチン錠）２３で係止したので、プーリ軸の支点位置移動（ベルトをゆるい状態から張る状態へ、またその逆に）を簡単にし、プーリ着脱時の力も軽減できる。また、分解時には、キャッチクリップ２３のレバー２７を起こし、ライナー２５とフック２７との係合を解いたうえ、プーリ軸の差込みを外すことにより取外すことができるので、コンベヤの分解・清掃時の取外作業を簡単に行うことができる。
【００１４】
本発明によれば、緩め絞りプーリ軸端をキャッチクリップ２３で掛け止めることによってベルトゆるめ状態から張る状態へ、またその逆に切り替えることができるので、プーリ着脱時に必要とする力を軽減でき、支点側のプーリ軸の着脱操作が容易になり、また、ボルトを用いずにキャッチクリップの掛け止めによって駆動ユニットの所定部位の各切り欠きに絞りプーリ軸を差し込んで取付けたので、部品点数も減少できる。さらに、ベルト外しのときベルト張力によって、絞りプーリ１１、１２の軸端が外側に移動するが、プーリ軸端は、Ｚ字形切欠き３１の屈曲部３２またはＣ字形切欠き３４における開口部下縁の突起３５に当たって、それぞれ急な飛び出しを防ぐことができる。
【図面の簡単な説明】
【００１５】
【図１】本発明ベルトコンベヤの正面図。
【図２】図１の駆動ユニットの拡大正面図。
【図３】図２の背面図。
【図４】図２のＡ−Ａ線より矢印方向にみた平面図。
【図５】図２のＢ−Ｂ線より矢印方向にみた断面図。
【符号の説明】
【００１６】
１  コンベヤ                        ２  フレーム
３  頭部プーリ                      ４  尾部プーリ
５  中間駆動ユニット                ６  ベルト
７、８  側板                        ９  カバー  
９ａ  折曲片                        １０  ドライブプーリ
１０ａ  ドライブプーリ軸            １１  テークアップ付き絞りプーリ
１１ａ、１２ａ  プーリ軸            １２  緩め絞りプーリ
１３  フレームツナギ材              １３ａ  ボルト
１４  駆動部ツナギ材                １５  トルクアーム
１６  ストリッパボルト              １７  防水ギヤードモータ
１８  テークブロック                １８ａ  ストッパボルト
１８ｂ  雌ねじ                      １９  モータ固定ワッシャ
２０  ピローブロック                ２１  抜差蝶番
２２  蝶ネジ                        ２３  キャッチクリップ
２４  コイルバネ内蔵主体部          ２５  キャッチ用ライナー
２６  レバー                        ２７  フック
３０  絞りプーリ軸受用長孔          ３１  Ｚ形切欠き
３２  屈曲部                        ３３  開口部
３４  Ｃ形切欠き                    ３４ａ  上辺路
３４ｂ  垂直路                      ３４ｃ  下辺路
３５  突起                          ３６  傾斜辺
３７  開口部
【図１】
2005212918.tif 000003
【図２】
2005212918.tif 000004
【図３】
2005212918.tif 000005
【図４】
2005212918.tif 000006
【図５】
2005212918.tif 000007